(57)【要約】【課題】  モータ駆動時の電流はモータが正常に動く時に流れる電流より小さくさせることが可能なパルス調整によるモータ保護回路を提供する。【解決手段】  モータ保護回路１０は、モータ駆動回路１１、運転検知回路１２及びパルストリガ回路１３により構成される。パルストリガ回路１３には、ＯＮ／ＯＦＦ計時回路１７とパルス発生回路１８を有する。モータ駆動回路１１の役目は単にモータを運転することであり、もしうまく働くことができなくなったら、運転検知回路１２は即時にパルストリガ回路１３がモータを駆動するようなパルス信号を出すという命令信号をパルストリガ回路１３へ出力する。パルス信号の周期を自由に調整可能とすることより、モータを駆動する間に流れる電流をコントロール可能で、モータを駆動する間に流れる電流はモータが正常に動く時に流れる電流より小さくさせることが可能となる。【選択図】    図３
2006340483.tif 000002
【特許請求の範囲】
【請求項１】
モータ駆動回路、運転検知回路及びパルストリガ回路を備え、
モータ駆動回路はモータを運転するためにあり、モータ駆動回路が正常に働かないとき、運転検知回路はパルストリガ回路がモータを駆動するためのパルス信号を出すという命令信号を即時にパルストリガ回路へ出力し、パルス信号の周期を自由に調整可能とし、モータを駆動する間に流れる電流をコントロール可能とすることを特徴とするパルス調整によるモータ保護回路。
【請求項２】
モータを駆動する間に流れる電流はモータが正常に動く時に流れる電流より小さくなることを特徴とする請求項１記載のパルス調整によるモータ保護回路。
【請求項３】
パルストリガ回路はＯＮ／ＯＦＦ計時回路とパルス発生回路を備えることを特徴とする請求項１記載のパルス調整によるモータ保護回路。
【請求項４】
ＯＮ／ＯＦＦ計時回路はタイムベース発生回路であることを特徴とする請求項３記載のパルス調整によるモータ保護回路。
【請求項５】
ＯＮ／ＯＦＦ計時回路は他のタイムベース発生回路であることを特徴とする請求項３記載のパルス調整によるモータ保護回路。
【請求項６】
モータ駆動回路はホール電圧増幅回路、位相反転回路とコイル駆動回路により構成されることを特徴とするパルス調整によるモータ保護回路。
【発明の詳細な説明】
【技術分野】
【０００１】
本発明は、モータ保護回路に係し、特にパルス調整によるモータ保護回路に関する。
【背景技術】
【０００２】
運転中に外力で送風ファンが正常に働かなくなった時、正常時の運転電流よりモータがロックされる際の電流は大きくならなければならない。図１に示すように、従来公知の電流制限保護回路は、モータ駆動回路１１０と電流制限回路１２０により構成される。モータの故障で送風ファンが動かないとき、モータのロック電流より、電流制限回路１２０中にあるトランジスタのコレクタは低電圧と共に、モータ駆動回路１１０中のトランジスタが通電できず、電流を減らす目的に達することが可能となる。しかしながら、この電流制限作用が発生する時、殆どの電圧降下はトランジスタの両端に起きる故に、トランジスタは極大の電力を受けて安全性はかなり不安である。
【０００３】
図２に示す従来公知の送風ファンモータ保護回路は基本的にモータ駆動回路２１０とタイムベース発生回路２２０を備える。送風ファンモータが動かなかったら、タイムベース発生回路２２０は高電位信号を出力する間に、モータ駆動回路２１０には電流が流れず、逆に、低電位信号を出力する間に、モータがロックされる原因が未だ消えていなければ(運転ができない状態)、電流は駆動トランジスタを衝撃し続ける。且つ、このロック電流はモータが正常に動くときに流れる電流より遥かに大きくなって、トランジスタの信頼性を厳しく影響してしまう。
【０００４】
中華民国特許第０９２１２２１５０号公報「ブラシレスＤＣモータ」にて、一種既知の回路が発表され、モータのロック電流は正常運転電流より大きくしなければならない。
【０００５】
【特許文献１】中華民国特許第０９２１２２１５０号
【発明の開示】
【発明が解決しようとする課題】
【０００６】
したがって、本発明は、上記の問題を解決するためになされたものであり、本発明の第一目的は一種のパルス調整によるモータ保護回路を提供することにある。モータを駆動するためパルストリガ回路を用いてパルス信号を出力して、パルス信号の周期は自由に調整可能で、モータを駆動する間に流れる電流はモータが正常に動く時に流れる電流より小さくさせることが可能となる。
【０００７】
本発明の第二の目的は一種のパルス調整によるモータ保護回路を提供することにある。パルストリガ回路（pulse  trigger  circuit）を用いてパルス信号を出す。ここで、パルス信号の周期は自由に調整可能で、モータを駆動する間に流れる電流はモータが正常に動く時に流れる電流より小さくさせることが可能である。このため、モータがロックされるとき、サージ電流（surge  current）はトランジスタ或は他の回路素子を衝撃することを避けられて、信頼性の上昇及び不良率の減少が得られる。また、モータを駆動する間に流れる電流はモータが正常に動く時に流れる電流より小さいため、直接にモータが正常に動く時に流れる電流値を回路設計の基にして、回路素子の利用率を上昇させることが可能である。
【課題を解決するための手段】
【０００８】
上述の目的を達成するために本発明の請求項に記載のパルス調整によるモータ保護回路は、モータ駆動回路、運転検知回路とパルストリガ回路により構成される。モータ駆動回路の役目は単にモータを運転することであり、もしうまく働くことができなくなったら、運転検知回路は即時にパルストリガ回路がモータを駆動するようなパルス信号を出すという命令信号をパルストリガ回路へ出力する。パルス信号の周期を自由に調整可能とすることより、モータを駆動する間に流れる電流をコントロール可能で、モータを駆動する間に流れる電流はモータが正常に動く時に流れる電流より小さくさせることが可能となる。
【発明を実施するための最良の形態】
【０００９】
以下、本発明の実施例を図面に基づいて説明する。
図３に示すように本発明の実施例によるパルス調整によるモータ保護回路１０は、モータ駆動回路１１、運転検知回路１２及びパルストリガ回路１３により構成される。モータ駆動回路１１は、送風ファンモータを運転してホール電圧増幅回路１４、位相反転回路１５とコイル駆動回路１６を有する。運転検知回路１２には、第一コンデンサＣ１、第二コンデンサＣ２、第一インバータＩＣ１、第二インバータＩＣ２及び第一ダイオードＤ１を有する。パルストリガ回路１３には、ＯＮ／ＯＦＦ計時回路１７とパルス発生回路１８を有する。なお、ＯＮ／ＯＦＦ計時回路１７の代わりにタイムベース発生回路或は他のパルス発生回路１８を使うことも可能であり、本実施例においては、タイムベース発生回路を使用している。モータ駆動回路１１が正常に働く時は、運転検知回路１２の第一コンデンサＣ１は連続的に運転信号を第一インバータＩＣ１へ出力することで、第一インバータＩＣ１から低電位或は高電位の信号を出すことが可能となる。先ず、第一インバータＩＣ１の出力が低電位となったら、第二コンデンサＣ２の電荷は第一ダイオードＤ１を通して第一インバータＩＣ１へ流れて放電されてしまうので、第二コンデンサＣ２にとって高電位まで充電されることが不可能である。逆に、第一インバータＩＣ１の出力は高電位であれば、高電圧は第一抵抗Ｒ１を通して第二コンデンサＣ２を充電することにもかかわらず、充電時間は運転周期より遥かに長くなって、第二コンデンサＣ２も高電位まで充電することができない。即ち、モータ駆動回路１１が正常に動くとき、運転検知回路１２は連続的に高電位信号を出し、この高電位信号は第三インバータＩＣ３によって反転され低電位信号となる。これにより、パルストリガ回路１３の出力も低電位信号となり、再び第四インバータＩＣ４を通して高電位信号に再反転される。従って、モータ駆動回路１１のコイル駆動回路１６は実際にパルストリガ回路１３のコントロールに影響されない。
【００１０】
次に、モータ駆動回路１１がうまく働かないとき、運転検知回路１２中の第一コンデンサＣ１には何の入力もなくて、第一インバータＩＣ１から出力される高電位信号は、第一抵抗Ｒ１を通して第二コンデンサＣ２を高電位まで充電させる。第二コンデンサＣ２は高電位に達する際、第二インバータＩＣ２から低電位信号が出力され、即ち、運転検知回路１２は低電位信号を出力するとともに、ＯＮ／ＯＦＦ計時回路１７を起動させる。ＯＮ／ＯＦＦ計時回路１７は高電位信号を出力するとき、第四インバータIC４はこの高電位信号を低電位信号に反転することによって、モータ駆動回路１１のコイル駆動回路１６が通電しなくなる。逆に、ＯＮ／ＯＦＦ計時回路１７は低電位信号を出力すれば、この低電位信号は第二ダイオードＤ２に隔離される。他に、運転検知回路１２は低電位信号を出力するとき、この低電位信号は第三インバータＩＣ３を通して高電位信号に反転され、ＡＮＤゲート回路Ｇ１の１つの入力になる。ＡＮＤゲート回路Ｇ１のもう１つの入力端はパルス発生回路１８と直接に接続する。パルス発生回路１８は、発振機ＯＳＣ、第三コンデンサＣ３、第三ダイオードＤ３と第四ダイオードＤ４を備える。発振機ＯＳＣの出力によってＡＮＤゲート回路Ｇ１の出力が決まる。また、第三ダイオードＤ３と第四ダイオードＤ４は第二抵抗Ｒ２と第三抵抗Ｒ３にそれぞれ接続されることによって、第三コンデンサＣ３の充電と放電の周期を一致させないことを利用し、発振機ＯＳＣは別々の周期を持つ複数のパルス信号を出力することが可能である。パルス発生回路１８は低電位信号を出すとき、ＡＮＤゲート回路Ｇ１も低電位信号を出力し、これにより、第四インバータＩＣ４の出力は複数のパルス信号となる。従って、ＯＮ／ＯＦＦ計時回路１７は低電位信号を出すとき、且つパルス発生回路１８も低電位信号を出力すれば、パルストリガ回路１３はモータを駆動するため複数のパルス信号を出力し始める。また、パルス発生回路１８から出力されるパルス信号の周期は自由に調整可能で、よって、モータを駆動する間に流れる電流をコントロールすることが可能である。
【００１１】
本発明はモータ駆動回路１１が正常に動けないときに適用することである。運転検知回路１２から出力される低電位信号はＯＮ／ＯＦＦ計時回路１７を起動し、且つ第三インバータＩＣ３を通して高電位信号に反転されることより、パルス発生回路１８は低電位信号を出力させる。ＯＮ／ＯＦＦ計時回路１７は低電位信号を出すとき、パルストリガ回路１３はモータを駆動するため複数のパルス信号を出力することになる。それらのパルス信号の周期が自由に調整可能であることより、モータを駆動する間に流れる電流はモータが正常に動く時に流れる電流より小さくさせることは可能である。故に、モータがロックされる時、サージ電流はトランジスタ或は他の回路素子を衝撃するようなことを避けられて、信頼性の上昇及び不良率の減少が得られる。また、モータを駆動する間に流れる電流はモータが正常に動く時に流れる電流より小さくなるため、直接にモータが正常に動く時に流れる電流値を回路設計の基にして、回路素子の利用率を上昇させることが可能である。
【００１２】
本発明の保護範囲は後付の特許申請範囲で限定されて、これに基準して、本発明の精神と範囲内に触れるどんな変更や修正は本発明の保護範囲に属する。
【図面の簡単な説明】
【００１３】
【図１】従来公知の電流制限保護回路を示す図である。
【図２】従来公知の送風ファンモータ保護回路を示す図である。
【図３】本発明の実施例によるパルス調整によるモータ保護回路を示す図である。
【符号の説明】
【００１４】
１０  パルス調整によるモータ保護回路、１１  モータ駆動回路、１２  運転検知回路、１３  パルストリガ回路、１４  ホール電圧増幅回路、１５  位相反転回路、１６  コイル駆動回路、１７  ＯＮ／ＯＦＦ計時回路、１８  パルス発生回路、Ｃ１  第一コンデンサ、Ｃ２  第二コンデンサ、Ｃ３  第三コンデンサ、Ｄ１  第一ダイオード、Ｄ２  第二ダイオード、Ｄ３  第三ダイオード、Ｄ４  第四ダイオード、ＩＣ１  第一インバータ、ＩＣ２  第二インバータ、ＩＣ３  第三インバータ、ＩＣ４  第四インバータ、ＯＳＣ  発振機、Ｒ１  第一抵抗、Ｒ２  第二抵抗、Ｒ３  第三抵抗
【図１】
2006340483.tif 000003
【図２】
2006340483.tif 000004
【図３】
2006340483.tif 000005